(57)【要約】【課題】樹脂の固化段階における部品の変形を抑制することができる直動案内装置用部品の成形方法及び直動案内装置を提供する。【解決手段】この直動案内装置用部品の成形方法は、連続するフレーム部２３ａ，２３ｂにより枠状に形成される直動案内装置用部品２３を射出成形法により成形する方法であって、射出成形時に、部品２３の枠内にこの部品２３を支持する支え部３０を設ける。【選択図】図３
2008144785.tif 000002
【特許請求の範囲】
【請求項１】
連続するフレーム部により枠状に形成される直動案内装置用部品を射出成形法により成形する方法であって、
射出成形時に、前記部品の枠内に前記部品を支持する支え部を設けることを特徴とする直動案内装置用部品の成形方法。
【請求項２】
前記支え部と前記部品との結合部分に切欠部を設け、
前記支え部を樹脂が固化した後に切除することを特徴とする請求項１に記載の直動案内装置用部品の成形方法。
【請求項３】
案内レールと、前記案内レールに複数の転動体を介してスライド自在に設けられるスライダと、を備え、
前記スライダは、スライダ本体と、前記スライダ本体が枠内に嵌合される枠体と、前記枠体の前記スライダのスライド方向端部に設けられるエンドキャップと、を有し、
前記案内レール、前記スライダ本体、前記枠体、及び前記エンドキャップにより前記転動体を循環させる循環通路を形成する直動案内装置であって、
前記枠体は、請求項１又は２に記載の直動案内装置部品の成形方法により成形されることを特徴とする直動案内装置。
【発明の詳細な説明】
【技術分野】
【０００１】
本発明は、各種産業機械等に用いられる直動案内装置の部品の成形方法及び直動案内装置に関する。
【背景技術】
【０００２】
従来、直動案内装置では、案内レールの外側転動溝とスライダの内側転動溝との間を転動する転動体の循環通路を形成するため、スライダの本体内には、転動体の戻し通路が穿孔されている。また、スライダの本体の端部に取り付けられるエンドキャップには、転動体を両転動溝間から戻し通路に方向転換させるための方向転換路が形成されている。
【０００３】
ところで、戻し通路は、金属製のスライダ本体に穴加工を施すことにより形成されるが、この作業は煩瑣で、加工工数と製造コストがかかる。
【０００４】
そこで、従来においては、戻し通路を形成した矩形状の樹脂製枠体をスライダ本体の外側に嵌め込むと共に、樹脂製枠体のスライダのスライド方向端部にエンドキャップを取り付けることで、転動体の循環通路を形成するようにした直動案内装置が提案されている（例えば、特許文献１及び２参照）。
【０００５】
【特許文献１】特開２００４−３６７８７号公報
【特許文献２】特開２００４−１０８４７５号公報
【発明の開示】
【発明が解決しようとする課題】
【０００６】
ところで、射出成形等により成形される樹脂部品の場合、樹脂の固化段階で変形が発生することがある。この場合、樹脂部品の形状が複雑で肉厚が均一でないと変形が大きくなるため、変形防止対策としては部品設計において肉厚を均一化すること等がある。
【０００７】
しかしながら、構造上の制約により肉厚が不均一となることがあり、特に、上記特許文献１及び２に記載の直動案内装置では、スライダ本体に嵌合される樹脂製枠体は、細長く、且つ肉厚が不均一な形状のフレーム部が連続して枠状に形成されるため、樹脂の固化段階における樹脂製枠体の変形が大きくなり易かった。
【０００８】
本発明は、このような不都合を解消するためになされたものであり、その目的は、樹脂の固化段階における部品の変形を抑制することができる直動案内装置用部品の成形方法及び直動案内装置を提供することにある。
【課題を解決するための手段】
【０００９】
本発明の上記目的は、下記の構成により達成される。
（１）  連続するフレーム部により枠状に形成される直動案内装置用部品を射出成形法により成形する方法であって、射出成形時に、部品の枠内にこの部品を支持する支え部を設けることを特徴とする直動案内装置用部品の成形方法。
（２）  支え部と部品との結合部分に切欠部を設け、支え部を樹脂が固化した後に切除することを特徴とする（１）に記載の直動案内装置用部品の成形方法。
（３）  案内レールと、案内レールに複数の転動体を介してスライド自在に設けられるスライダと、を備え、スライダは、スライダ本体と、スライダ本体が枠内に嵌合される枠体と、枠体のスライダのスライド方向端部に設けられるエンドキャップと、を有し、案内レール、スライダ本体、枠体、及びエンドキャップにより転動体を循環させる循環通路を形成する直動案内装置であって、枠体は、（１）又は（２）に記載の直動案内装置部品の成形方法により成形されることを特徴とする直動案内装置。
【発明の効果】
【００１０】
本発明の直動案内装置用部品の成形方法及び直動案内装置によれば、連続するフレーム部により枠状に形成される直動案内装置用部品の射出成形時に、部品の枠内にこの部品を支持する支え部を設けるため、樹脂の固化段階における部品の変形を抑制することができる。
【発明を実施するための最良の形態】
【００１１】
以下、本発明に係る直動案内装置用部品の成形方法及び直動案内装置の一実施形態について、図面を参照して詳細に説明する。
図１は本発明に係る直動案内装置の一実施形態を説明するための図、図２は図１に示す枠体を説明するための図、図３は図２に示す枠体の成形方法を説明するための図、図４は図３（ａ）のＢ部拡大図、図５は支え部の変形例を説明するための平面図、図６は枠体の変形例を説明するための図、図７は図６に示す枠体の成形方法を説明するための図である。
【００１２】
本実施形態の直動案内装置１０は、図１に示すように、軸方向に延びる案内レール１１と、この案内レール１１上に軸方向に相対移動可能に跨架される断面略コの字状のスライダ２０と、を備える。
【００１３】
また、案内レール１１の両外側面には、軸方向に延びる転動溝１２がそれぞれ形成され、スライダ２０の両内側面には、案内レール１１の転動溝１２に対向する転動溝２１がそれぞれ形成される。これにより、転動溝１２，２１間には、複数の玉（転動体）１３を循環させる循環通路の一部である転動通路が形成される。そして、この転動溝１２，２１間の転動通路には、複数の玉１３が転動自在に装填されており、この複数の玉１３の転動を介してスライダ２０が案内レール１１上を軸方向に沿って相対移動可能となる。
【００１４】
スライダ２０は、断面略コの字状の両内側面に上記転動溝２１がそれぞれ形成される金属製のスライダ本体２２と、スライダ本体２２が枠内に嵌合される樹脂製の枠体（直動案内装置用部品）２３と、枠体２３のスライダ２０のスライド方向両端部にそれぞれ取り付けられるエンドキャップ２４と、エンドキャップ２４の外側に取り付けられるサイドシール２５と、を備える。
【００１５】
枠体２３は、射出成形の樹脂成形品であり、図２に示すように、互いに平行配置される一対のフレーム部２３ａと、一対のフレーム部２３ａの両端部同士を連結する一対のフレーム部２３ｂと、を備え、これにより平面視矩形状の枠状体に形成される。また、一対のフレーム部２３ａには、複数の玉１３を循環させる循環通路の一部である戻し通路２３ｃが軸方向に貫通して形成される。また、一対のフレーム部２３ａの戻し通路２３ｃの軸方向端部には、複数の玉１３を循環させる循環通路の一部であり、転動溝１２，２１間の転動通路と戻し通路２３ｃとを連通し、玉１３を転動溝１２，２１間の転動通路から戻し通路２３ｃ、及び戻し通路２３ｃから転動溝１２，２１間の転動通路に方向転換させる方向転換通路の内側溝２３ｄが形成される。
【００１６】
エンドキャップ２４の幅方向端部には、複数の玉１３を循環させる循環通路の一部であり、転動溝１２，２１間の転動通路と戻し通路２３ｃとを連通し、玉１３を転動溝１２，２１間の転動通路から戻し通路２３ｃ、及び戻し通路２３ｃから転動溝１２，２１間の転動通路に方向転換させる方向転換通路の不図示の外側溝が形成される。
【００１７】
そして、エンドキャップ２４は、サイドシール２５と共にスライダ本体２２及び枠体２３にねじ２６により締結される。これにより、案内レール１１の転動溝１２とスライダ本体２２の転動溝２１との間に形成される転動通路、枠体２３の戻し通路２３ｃ、及び枠体２３の内側溝２３ｄとエンドキャップ２４の不図示の外側溝との間で形成される方向転換通路が連通され、玉１３を循環させる循環通路が形成される。
【００１８】
そして、本実施形態では、枠体２３の成形方法として次のような方法を採用している。即ち、枠体２３の射出成形時に、図３に示すように、枠体２３内に枠体２３を支持する支え部３０を設けて、樹脂が固化した後に支え部３０を切除する。支え部３０は、短尺部材３１と長尺部材３２とを平面視略十の字状に配置させており、短尺部材３１の両端部が一対のフレーム部２３ｂの互いに対向する内面の中央部を支持し、長尺部材３２の両端部が一対のフレーム部２３ａの互いに対向する内面の中央部を支持している。なお、図２の矢印Ｐは溶融樹脂を射出するゲート部である。ここで、フレーム部２３ｂの近い方の端部からゲート位置までの距離Ｌ１とＬ２（図２参照）とを等しく設定する。
【００１９】
また、図４に示すように、短尺部材３１の両端部の一対のフレーム部２３ｂの内面との結合部分、及び長尺部材３２の両端部の一対のフレーム部２３ａの内面との結合部分には、切欠部３３が形成される。これにより、短尺部材３１及び長尺部材３２の各端部の結合幅Ｃは、他の部分より１／２〜１／３程度細くなる。このため、枠体２３から支え部３０を切除する作業が容易になる。
【００２０】
以上説明したように、本実施形態の直動案内装置用部品の成形方法及び直動案内装置１０によれば、枠体２３の射出成形時において、樹脂が固化が完了するまでの間、枠体２３内に枠体２３を支持する支え部３０を設けるため、細長く、肉厚が不均一な形状のフレーム部２３ａ，２３ｂにより形成される枠体２３の溶融樹脂の固化段階における変形を抑制することができる。
【００２１】
なお、上記実施形態では、図３（ｂ），（ｃ）に示すように、短尺部材３１及び長尺部材３２を断面円形状として、それぞれを中央部分で連結させるようにしているが、これに限定されず、例えば、短尺部材３１を長尺部材３２に重なる高さを有する断面長円形状として、それぞれを中央部分で連結させるようにしてもよい。そして、これらのように短尺部材３１と長尺部材３２とを中央部分で連結することにより固化後の変形をより効果的に抑制できるので好ましい。しかし、例えば、短尺部材３１及び長尺部材３２を断面円形状として、それぞれを中央部分で連結させない場合でも、支え部３０を設けることにより、固化時における一対のフレーム２３ａ及び一対のフレーム部２３ｂの中央部分が近づいたり遠ざかったりするような撓みや、倒れ等の変形を抑制する効果がある。従って、短尺部材３１と長尺部材３２とを中央部分で連結しなくてもよい。さらに、短尺部材３１及び長尺部材３２の断面形状も上記に限定されず、例えば、矩形状等、他の形状であってもよい。
【００２２】
また、図５に、支え部３０の変形例として支え部４０を示す。この支え部４０は、２本の長尺部材４１を平面視Ｘの字状に交差させて、各長尺部材４１の両端部により枠体２３の内面の四隅を支持している。なお、ゲート位置は、支え部が図３のような形状の場合と同様の２ヶ所（図２参照）とする。
【００２３】
また、図６に、枠体２３の変形例として枠体５０を示す。この枠体５０は、互いに平行配置される一対のフレーム部２３ａと、一対のフレーム部２３ａの一端部同士を連結するフレーム部２３ｂと、を備え、これにより平面視略コの字状の枠状体に形成される。この場合、ゲート位置は、フレーム部２３ｂの中央部に１ケ所でよい（図６参照）。
【００２４】
この枠体５０の場合、フレーム部２３ｂには、上記したエンドキャップ２４が取り付けられる。また、枠体５０のフレーム部２３ｂから離間する開口側端部には、転動溝１２，２１間の転動通路と戻し通路２３ｃとを連通する方向転換通路の外側溝及び内側溝の両方が形成される不図示のエンドキャップが取り付けられる。
【００２５】
そして、本変形例では、枠体５０の射出成形時に、図７に示すように、枠体５０内に枠体５０を支持する支え部６０を設けて、樹脂が固化した後に支え部６０を切除する。支え部６０は、短尺部材６１と長尺部材６２とを平面視略Ｔの字状に配置させており、長尺部材６２の両端部が一対のフレーム部２３ａの互いに対向する内面のフレーム部２３ｂから離間する側の端部を支持し、短尺部材６１の一端部がフレーム部２３ｂの内面の中央部を支持すると共に、他端部が長尺部材６２の内面の中央部を支持している。
【００２６】
なお、本発明は、上記実施形態に例示したものに限定されるものではなく、本発明の要旨を逸脱しない範囲において適宜変更可能である。
例えば、上記実施形態では、転動体として玉を用いた直動案内装置に本発明を適用した場合を例示したが、これに限定されず、転動体としてころを用いた直動案内装置に本発明を適用してもよい。
【図面の簡単な説明】
【００２７】
【図１】本発明に係る直動案内装置の一実施形態を説明するための図であり、（ａ）は平面図、（ｂ）は正面図、（ｃ）は右側面図である。
【図２】図１に示す枠体を説明するための図であり、（ａ）は平面図、（ｂ）は右側面図、（ｃ）は左側面図、（ｄ）は正面図である。
【図３】図２に示す枠体の成形方法を説明するための図であり、（ａ）は平面図、（ｂ）は（ａ）のＡ−Ａ線矢視断面図、（ｃ）は左側面図である。
【図４】図３（ａ）のＢ部拡大図である。
【図５】支え部の変形例を説明するための平面図である。
【図６】枠体の変形例を説明するための図であり、（ａ）は平面図、（ｂ）は右側面図、（ｃ）は左側面図、（ｄ）は正面図である。
【図７】図６に示す枠体の成形方法を説明するための図であり、（ａ）は平面図、（ｂ）は（ａ）のＤ−Ｄ線矢視断面図、（ｃ）は左側面図である。
【符号の説明】
【００２８】
１０      直動案内装置
１１      案内レール
１２      転動溝（転動通路、循環通路）
１３      玉（転動体）
２０      スライダ
２１      転動溝（転動通路、循環通路）
２２      スライダ本体
２３，５０    枠体（直動案内装置用部品）
２３ａ，２３ｂ    フレーム部
２３ｃ    戻し通路（循環通路）
２３ｄ    内側溝（方向転換通路、循環通路）
２４      エンドキャップ
２５      サイドシール
２６      ねじ
３０，４０，６０    支え部
３３      切欠部
【図１】
2008144785.tif 000003
【図２】
2008144785.tif 000004
【図３】
2008144785.tif 000005
【図４】
2008144785.tif 000006
【図５】
2008144785.tif 000007
【図６】
2008144785.tif 000008
【図７】
2008144785.tif 000009